【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
アプリケーションを実行し当該アプリケーションで取り扱われるアプリケーション用データを編集可能な情報処理端末と、携帯端末とに通信可能に接続され、仮想オブジェクトを管理する仮想オブジェクト管理端末であって、
第１仮想オブジェクトの形状、および、実空間と同一尺度の座標系を実現した仮想空間上であって前記情報処理端末の実空間上の位置に相当する位置に前記第１仮想オブジェクトを配置したときの当該第１仮想オブジェクトの配置位置に関する第１オブジェクト情報を前記情報処理端末と対応付けて記憶する第１記憶手段と、
第２仮想オブジェクトの形状、および、前記仮想空間上であって前記携帯端末の実空間上の位置に相当する位置に前記第２仮想オブジェクトを配置したときの当該第２仮想オブジェクトの配置位置に関する第２オブジェクト情報を前記携帯端末と対応付けて記憶する第２記憶手段とを備え、
前記携帯端末の位置を特定するための位置情報に基づいて前記第２記憶手段の第２オブジェクト情報を更新し、前記第１記憶手段の第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複していると判定したときは、その第１仮想オブジェクトに対応する情報処理端末についてアプリケーションサービスを提供すべき提供要求を送信することを特徴とする仮想オブジェクト管理端末。
【請求項２】
アプリケーションを実行し当該アプリケーションで取り扱われるアプリケーション用データを編集可能な情報処理端末に通信可能に接続され、仮想オブジェクトを管理する仮想オブジェクト管理端末であって、
第１仮想オブジェクトの形状、および、実空間と同一尺度の座標系を実現した仮想空間上であって前記情報処理端末の実空間上の位置に相当する位置に前記第１仮想オブジェクトを配置したときの当該第１仮想オブジェクトの配置位置に関する第１オブジェクト情報を前記情報処理端末と対応付けて記憶する第１記憶手段と、
第２仮想オブジェクトの形状、および、前記仮想空間上であって携帯可能な物品である携帯物の実空間上の位置に相当する位置に前記第２仮想オブジェクトを配置したときの当該第２仮想オブジェクトの配置位置に関する第２オブジェクト情報を前記携帯物と対応付けて記憶する第２記憶手段とを備え、
前記携帯物の位置を特定するための位置情報に基づいて前記第２記憶手段の第２オブジェクト情報を更新し、前記第１記憶手段の第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複していると判定したときは、その第１仮想オブジェクトに対応する情報処理端末についてアプリケーションサービスを提供すべき提供要求を送信することを特徴とする仮想オブジェクト管理端末。
【請求項３】
請求項１および２のいずれか１項において、
前記第１仮想オブジェクトの形状および配置位置により特定される領域と、前記第２仮想オブジェクトの形状および配置位置により特定される領域とが重複していると判定したときは、その第１仮想オブジェクトに対応する情報処理端末に前記提供要求を送信することを特徴とする仮想オブジェクト管理端末。
【請求項４】
アプリケーションを実行し当該アプリケーションで取り扱われるアプリケーション用データを編集可能な情報処理端末と、携帯端末とに通信可能に接続され、
第１仮想オブジェクトの形状、および、実空間と同一尺度の座標系を実現した仮想空間上であって前記情報処理端末の実空間上の位置に相当する位置に前記第１仮想オブジェクトを配置したときの当該第１仮想オブジェクトの配置位置に関する第１オブジェクト情報を前記情報処理端末と対応付けて記憶する第１記憶手段と、
第２仮想オブジェクトの形状、および、前記仮想空間上であって前記携帯端末の実空間上の位置に相当する位置に前記第２仮想オブジェクトを配置したときの当該第２仮想オブジェクトの配置位置に関する第２オブジェクト情報を前記携帯端末と対応付けて記憶する第２記憶手段とを備えるコンピュータに対して、
前記携帯端末の位置を特定するための位置情報に基づいて前記第２記憶手段の第２オブジェクト情報を更新し、前記第１記憶手段の第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複していると判定したときは、その第１仮想オブジェクトに対応する情報処理端末についてアプリケーションサービスを提供すべき提供要求を送信する処理を実行させるためのプログラムであることを特徴とする仮想オブジェクト管理プログラム。
【請求項５】
アプリケーションを実行し当該アプリケーションで取り扱われるアプリケーション用データを編集可能な情報処理端末に通信可能に接続され、
第１仮想オブジェクトの形状、および、実空間と同一尺度の座標系を実現した仮想空間上であって前記情報処理端末の実空間上の位置に相当する位置に前記第１仮想オブジェクトを配置したときの当該第１仮想オブジェクトの配置位置に関する第１オブジェクト情報を前記情報処理端末と対応付けて記憶する第１記憶手段と、
第２仮想オブジェクトの形状、および、前記仮想空間上であって携帯可能な物品である携帯物の実空間上の位置に相当する位置に前記第２仮想オブジェクトを配置したときの当該第２仮想オブジェクトの配置位置に関する第２オブジェクト情報を前記携帯物と対応付けて記憶する第２記憶手段とを備えるコンピュータに対して、
前記携帯物の位置を特定するための位置情報に基づいて前記第２記憶手段の第２オブジェクト情報を更新し、前記第１記憶手段の第１オブジェクト情報および前記第２記憶手段の第２オブジェクト情報に基づいて、前記第１仮想オブジェクトの形状および配置位置により特定される領域と、前記第２仮想オブジェクトの形状および配置位置により特定される領域とが重複していると判定したときは、その第１仮想オブジェクトに対応する情報処理端末についてアプリケーションサービスを提供すべき提供要求を送信する処理を実行させるためのプログラムであることを特徴とする仮想オブジェクト管理プログラム。
【手続補正２】
【補正対象書類名】明細書
【補正対象項目名】発明の名称
【補正方法】変更
【補正の内容】
【発明の名称】仮想オブジェクト管理端末および仮想オブジェクト管理プログラム
【手続補正３】
【補正対象書類名】明細書
【補正対象項目名】０１０３
【補正方法】変更
【補正の内容】
【０１０３】
Ｉ／Ｆ９８には、外部装置として、仮想オブジェクト管理装置１００、ノートＰＣ２００およびサービス連携管理装置２４０と無線通信により通信を行う無線通信装置８３と、ヒューマンインターフェースとして複数のキーによりデータの入力が可能なキーパネル８４ａと、画像信号に基づいて画面を表示するＬＣＤ（Liquid Crystal Display）８５と、携帯端末１４０の現在位置を測定してその位置を特定するための位置情報を取得する位置情報取得装置８６ａとが接続されている。
【手続補正４】
【補正対象書類名】明細書
【補正対象項目名】０１０６
【補正方法】変更
【補正の内容】
【０１０６】
位置情報取得装置８６ａは、現在の時刻を示す時刻信号を送信する周回衛星から時刻信号を受信し、それら時刻信号により示される時刻のずれおよび各周回衛星の周回軌道に基づいて、位置を測定するいわゆるＧＰＳを利用して、現在地点の位置を測定し、測定した現在地点の位置を位置情報として出力するようになっている。
ＣＰＵ９０は、マイクロプロセッシングユニットＭＰＵ等からなり、ＲＯＭ９２の所定領域に格納されている所定のプログラムを起動させ、そのプログラムに従って、図１４ないし図１６のフローチャートに示す位置情報通知処理、サービス連携処理およびアプリケーション特定情報等送信処理をそれぞれ時分割で実行するようになっている。
【手続補正５】
【補正対象書類名】明細書
【補正対象項目名】０１０８
【補正方法】変更
【補正の内容】
【０１０８】
ステップＳ４００では、位置情報取得装置８６ａから位置情報を取得し、ステップＳ４０２に移行して、取得した位置情報を仮想オブジェクト管理装置１００に送信し、ステップＳ４１０に移行する。
ステップＳ４１０では、位置情報の送信に対する応答を受信したか否かを判定し、応答を受信したと判定したとき(Yes)は、一連の処理を終了して元の処理に復帰させるが、そうでないと判定したとき(No)は、応答を受信するまでステップＳ４１０で待機する。
【手続補正６】
【補正対象書類名】明細書
【補正対象項目名】０１１５
【補正方法】変更
【補正の内容】
【０１１５】
次に、上記第１の実施の形態の動作を説明する。
携帯端末１４０で保存してあるアプリケーション用データをノートＰＣ２００で編集するには、ユーザは、まず、携帯端末１４０において、編集を希望するアプリケーション用データを該当のアプリケーションで開いておく。そして、携帯端末１４０を所持して室内で移動をすると、携帯端末１４０では、ステップＳ４００，Ｓ４０２を経て、位置情報取得装置８６ａから位置情報が取得され、取得された位置情報が仮想オブジェクト管理装置１００に送信される。
【手続補正７】
【補正対象書類名】明細書
【補正対象項目名】０１２６
【補正方法】変更
【補正の内容】
【０１２６】
このようにして、本実施の形態では、仮想オブジェクト管理装置１００は、仮想オブジェクトＡの形状および配置位置に関するオブジェクト情報をノートＰＣ２００と対応付け登録し、仮想オブジェクトＢの形状および配置位置に関するオブジェクト情報を携帯端末１４０と対応付けて登録しておき、受信した位置情報に基づいて仮想オブジェクトＢの配置位置を更新する一方、仮想オブジェクト管理テーブル４００を参照して、仮想オブジェクトＢが仮想オブジェクトＡにエリアインしていると判定したときは、エリアインの通知をノートＰＣ２００に送信するようになっており、ノートＰＣ２００は、エリアインの通知を受信したときは、アプリケーション特定情報および作業データの送信要求を携帯端末１４０に送信し、その送信によりアプリケーション特定情報および作業データを受信したときは、受信したアプリケーション特定情報により特定されるアプリケーションに作業データを出力するようになっており、携帯端末１４０は、位置情報取得装置８６ａで取得した位置情報を仮想オブジェクト管理装置１００に送信する一方、アプリケーション特定情報および作業データの送信要求を受信したときは、アプリケーション特定情報および作業データをノートＰＣ２００に送信するようになっている。
【手続補正８】
【補正対象書類名】明細書
【補正対象項目名】０１３４
【補正方法】変更
【補正の内容】
【０１３４】
上記第１の実施の形態において、仮想オブジェクト管理装置１００は、形態２、６、１２または１４の仮想オブジェクト管理端末に対応し、仮想オブジェクト管理ＤＢ４２は、形態１若しくは２の第１記憶手段、または形態１若しくは２の第２記憶手段に対応している。また、携帯端末１４０は、形態１の移動体に対応し、ＲＡＭ９４は、形態１、２、６、１２または１５のアプリケーション用データ記憶手段に対応し、位置情報取得装置８６ａは、形態１または２の位置情報取得手段に対応し、ノートＰＣ２００は、形態１ないし６、１１、１２、１４、１５若しくは１７の情報処理端末、または形態１１のパーソナルコンピュータに対応している。
【手続補正９】
【補正対象書類名】明細書
【補正対象項目名】０１７３
【補正方法】変更
【補正の内容】
【０１７３】
このようにして、本実施の形態では、仮想オブジェクト管理装置１００は、仮想オブジェクトＡの形状および配置位置に関するオブジェクト情報をノートＰＣ２００と対応付け登録し、仮想オブジェクトＢ'の形状および配置位置に関するオブジェクト情報をカード１６０と対応付けて登録しておき、受信した位置情報に基づいて仮想オブジェクトＢ'の配置位置を更新する一方、仮想オブジェクト管理テーブル４００を参照して、仮想オブジェクトＢ'が仮想オブジェクトＡにエリアインしていると判定したときは、エリアインの通知をノートＰＣ２００に送信するようになっており、ノートＰＣ２００は、エリアインの通知を受信したときは、アプリケーション特定情報および割当データの送信要求をカード管理装置１８０に送信し、その送信によりアプリケーション特定情報および割当データを受信したときは、受信したアプリケーション特定情報により特定されるアプリケーションに割当データを出力するようになっており、カード１６０は、位置情報取得装置８６ａで取得した位置情報を仮想オブジェクト管理装置１００に送信するようになっており、カード管理装置１８０は、アプリケーション特定情報および割当データの送信要求を受信したときは、アプリケーション特定情報および割当データをノートＰＣ２００に送信するようになっている。
【手続補正１０】
【補正対象書類名】明細書
【補正対象項目名】０１９５
【補正方法】変更
【補正の内容】
【０１９５】
１００                    仮想オブジェクト管理装置
１４０                    携帯端末
１６０                    カード
１８０                    カード管理装置
２００                    ノートＰＣ
２４０                    サービス連携管理装置
４００                    仮想オブジェクト管理テーブル
５００                    通信情報登録テーブル
３０，５０，７０，９０    ＣＰＵ
３２，５２，７２，９２    ＲＯＭ
３４，５４，７４，９４    ＲＡＭ
３８，５８，７８，９８    Ｉ／Ｆ
４０，６０，８０，８３    無線通信装置
４２                      仮想オブジェクト管理ＤＢ
６６，８６ａ   位置情報取得装置
６２，８４ａ   キーパネル
６４，８５                ＬＣＤ
８２                      入力装置
８４                      記憶装置
８６                      表示装置